(57)【特許請求の範囲】
【請求項１】
電源機器のＵＳＢポートと携帯電話機の充電コネクタ部とを接続して前記電源機器から携帯電話機を充電する携帯電話機充電用コードコネクタであって、
前記電源機器のＵＳＢポートに着脱可能に接続される電源機器側コネクタと、
その電源機器側コネクタから延びるコードと、
そのコードの先端が接続されたコード接続部と、そのコード接続部から並列に３本分岐された配線部と、それら３本の配線に１つずつ接続された、互いに異なる３種の前記携帯電話機の充電コネクタ部に着脱可能に接続される第１、第２及び第３の充電接続端子部と、それら配線部、コード接続部及び第１ないし３の充電接続端子部を収容するケースとを含む携帯電話機側コネクタと、を備え、
前記ケースは、前記コード接続部及び第１、第２及び第３の充電接続端子部をそれぞれ１個ずつ配置する４辺を備えた四角形状をなし、前記コードがそれら４辺のうち一辺部に接続されて前記コード接続部とされ、そのコード接続部の辺部とは反対側の辺部に前記第１の充電接続端子部が、その反対側の辺部から外方へ直角に突出するように形成され、
前記コード接続部の辺部の両側に位置する左右の辺部に、それぞれ第２及び第３の充電接続端子部が各辺部から直角に突出するように形成され、
さらに、それら第２、第３の充電接続端子部が形成された左右の辺部は、前記コード接続部と第１の充電接続端子部とを結ぶ中央線を基準にして、前記第１の充電接続端子部からコード接続部側に向かって漸次幅が狭くなるようにテーパ状に形成され、
それにより、前記第２及び第３の充電接続端子部が、前記中央線と直交する直線に対してそれぞれ前記コード接続部側に傾くように傾斜配置されていることを特徴とする携帯電話機充電用コードコネクタ。
【発明の詳細な説明】
【技術分野】
【０００１】
本発明は、携帯電話機充電用コードコネクタに関する。
【背景技術】
【０００２】
近年における携帯電話機の普及率はすさまじく、携帯電話機は生活必需品といっても過言ではない。最近の携帯電話機は、通話するだけに限らず電子メールやインターネットなど使用頻度が高く、また、オーディオ機能や、カメラ機能を搭載したものなど様々な用途で使用されている。それにより、充電が早くに減ってしまう（なくなってしまう）。そこで、様々な携帯電話機用の充電器の開発が行われている。
【０００３】
【特許文献１】特開２００７−１７４８２３号公報
【０００４】
特許文献１に記載の技術では、通信方式の異なる携帯電話機はコネクタの形状も異なっていることから、それら携帯電話機のバッテリを充電するときに、各コネクタに対応した専用充電器を使用しなくとも充電を行うことが出来るように、複数（例えば、３つ）の挿込部を有するマルチタップを備えた携帯電話機用充電器が開示されている。
【０００５】
しかしながら、特許文献１におけるマルチタップのように、複数のコネクタを備えたものは、携帯電話機における複数種類の充電コネクタに対応して接続することができる反面、大型化してしまう。特許文献１のマルチタップでは、四隅を角形状に切り欠いて段差部を形成しているが、小型化、コンパクト化されたとは言いがたいものである。
【発明の開示】
【発明が解決しようとする課題】
【０００６】
本発明の課題は、上記実情に鑑みてなされたものであり、携帯電話機における複数種類の充電コネクタ部に接続することができるとともに、小型化されたコネクタを備える携帯電話機充電用コードコネクタを提供する。
【課題を解決するための手段及び発明の効果】
【０００７】
上記課題を解決するために、本発明の携帯電話機充電用コードコネクタは、
電源機器のＵＳＢポートと携帯電話機の充電コネクタ部とを接続して電源機器から携帯電話機を充電する携帯電話機充電用コードコネクタであって、
電源機器のＵＳＢポートに着脱可能に接続される電源機器側コネクタと、
その電源機器側コネクタから延びるコードと、
そのコードの先端が接続されたコード接続部と、そのコード接続部から並列に３本分岐された配線部と、それら３本の配線に１つずつ接続された、互いに異なる３種の携帯電話機の充電コネクタ部に着脱可能に接続される第１、第２及び第３の充電接続端子部と、それら配線部、コード接続部及び第１ないし３の充電接続端子部を収容するケースとを含む携帯電話機側コネクタと、を備え、
ケースは、コード接続部及び第１、第２及び第３の充電接続端子部をそれぞれ１個ずつ配置する４辺を備えた四角形状をなし、コードがそれら４辺のうち一辺部に接続されてコード接続部とされ、そのコード接続部の辺部とは反対側の辺部に第１の充電接続端子部が、その反対側の辺部から外方へ直角に突出するように形成され、
コード接続部の辺部の両側に位置する左右の辺部に、それぞれ第２及び第３の充電接続端子部が各辺部から直角に突出するように形成され、
さらに、それら第２、第３の充電接続端子部が形成された左右の辺部は、コード接続部と第１の充電接続端子部とを結ぶ中央線を基準にして、第１の充電接続端子部からコード接続部側に向かって漸次幅が狭くなるようにテーパ状に形成され、
それにより、第２及び第３の充電接続端子部が、中央線と直交する直線に対してそれぞれコード接続部側に傾くように傾斜配置されていることを特徴とする。
【０００８】
また携帯電話機充電用コードコネクタの具体的な態様は、
電源機器のＵＳＢポートと携帯電話機の充電コネクタ部とを接続して電源機器から携帯電話機を充電する携帯電話機充電用コードコネクタであって、
電源機器のＵＳＢポートに着脱可能に接続される電源機器側コネクタと、
その電源機器側コネクタから延びるコードと、
そのコードの先端が接続されたコード接続部と、そのコード接続部から並列に３本分岐された配線部と、それら３本の配線に１つずつ接続された、互いに異なる３種の携帯電話機の充電コネクタ部に着脱可能に接続される第１、第２及び第３の充電接続端子部と、それら配線部、コード接続部及び第１ないし３の充電接続端子部を収容するケースとを含む携帯電話機側コネクタと、を備え、
ケースは、等脚台形状をなし、２本の平行辺部のうち短い平行短辺部にコードが接続されてコード接続部とされ、同じく長い平行長辺部に第１の充電接続端子部がその平行長辺部から外方へ直角に突出するように形成され、他方、等脚台形状の２本の斜辺部の一方に第２の充電接続端子部が、また他方に第３の充電接続端子部がそれぞれ各斜辺部から外方へ直角に突出するように形成されたことを特徴とすることができる。
【０００９】
これらの携帯電話機充電用コードコネクタによれば、電源機器（例えば、パーソナルコンピュータ）が備えるＵＳＢポートに接続される電源機器側コネクタ（例えば、ＵＳＢ端子）と、携帯電話機の充電コネクタ部に接続される携帯電話機側コネクタと、電源機器側コネクタと携帯電話機側コネクタとを接続するコードとを備えている。これにより、パーソナルコンピュータのＵＳＢポートを介して携帯電話機の充電を行うことができる。最近では、飲食店や公共施設などにパーソナルコンピュータが設置されていることが多く、また、ノート型パーソナルコンピュータを携帯していれば、携帯電話機の充電が減った若しくは無くなった場合に、様々な場所で充電することができる。
【００１０】
また、携帯電話機側コネクタには、互いに異なる３種の携帯電話機の充電コネクタ部に着脱可能に接続する第１、第２及び第３の充電接続端子部が形成されているので、携帯電話機における３種類（複数）の充電コネクタ部に対応して接続することができる。
【００１１】
そして、携帯電話機側コネクタのケースは、コードが接続されるコード接続部の辺部の両側に位置する左右の辺部が、コード接続部とそのコード接続部とは反対側の第１の充電接続端子部とを結ぶ中央線を基準にして、第１の充電接続端子部からコード接続部側に向かって漸次幅が狭くなるようにテーパ状（例えば、対称的）に形成されているので、小型化、コンパクト化を図ることができる。さらには、第２及び第３の充電接続端子部が中央線と直交する直線に対してコード接続部側に傾くように配置されるので、例えば第１と第２、第１と第３又は第２と第３の充電接続端子部での携帯電話機の同時接続に伴う相互の干渉を回避し易くなり、複数（２個や３個）の携帯電話機を同時に充電することができるとともに、ひいては、意匠的効果も有する。
【００１２】
なお、第１、第２及び第３の充電接続端子部のうちいずれか２つ、又は全てを同一の携帯電話機の充電コネクタ部に対応する充電接続端子部で形成してもよい。その場合には、同一の充電コネクタ部を有する携帯電話機を複数台同時に充電することもできる。
【発明を実施するための最良の形態】
【００１３】
以下、本発明の実施形態を、図面を参照しつつ説明する。図１は本発明に係るコードコネクタの使用状態を説明する模式図、図２は本発明の実施形態に係るコードコネクタの一例を示す正面図、図３は図２における側面図、図４は主要部における配線を概念的に示す図、図５は図４における等価回路図である。
【００１４】
図１に示すように、本発明の実施形態にかかる携帯電話機充電用コードコネクタ（以下、コードコネクタともいう）１は、電源機器としてのパーソナルコンピュータ（以下、パソコンと略称する）２のＵＳＢ（Universal  Serial  Bus）ポート２ａ及び携帯電話機３の充電コネクタ部３ａを接続してパソコン２を電源として携帯電話機３を充電するためのものである。
【００１５】
コードコネクタ１は、図１ないし図３に示すように、パソコン２のＵＳＢポート２ａに着脱可能に接続される電源機器側コネクタとしてのＵＳＢ端子１０と、そのＵＳＢ端子１０から延びるコード２０と、そのコード２０の先端（もう一端）が接続された携帯電話機側コネクタ３０とを備えている。
【００１６】
ＵＳＢ端子１０は、周知の如くコンピュータに周辺機器を接続するためのシリアルバス規格の一つであり、コード２０が接続されるＵＳＢ接続部１１を有する。
【００１７】
コード２０は、図２及び図３に示すように、コイル状に巻かれることにより伸縮可能なコイル部２１と、そのコイル部２１の両端から延出される延出部２２，２３とを備えている。延出部２２，２３の先端部にはそれぞれＵＳＢ端子１０のＵＳＢ接続部１１及び携帯電話機側コネクタ３０のコード接続部３１が接続されている。これにより、全体としてコードコネクタ１がコンパクト化され、持ち運びしやすくなる。
【００１８】
携帯電話機側コネクタ３０は、図２ないし図４に示すように、コード２０が接続されたコード接続部３１と、そのコード接続部３１から並列に３本分岐された配線部４０と（図４参照）、それら３本の配線に１つずつ接続された互いに異なる３種の携帯電話機３の充電コネクタ部３ａ（図１参照）に着脱可能に接続する第１、第２及び第３の充電接続端子部３２，３３，３４と、それら配線部４０、コード接続部３１及び第１ないし第３の充電接続端子部３２，３３，３４を収容するケース３９とを含み構成されている。
【００１９】
ケース３９は、図２に示すように、正面視で四角形状（例えば、台形形状，等脚台形状）をなし、コード接続部３１及び第１、第２及び第３の充電接続端子部３２，３３，３４をそれぞれ１個ずつ配置する４辺を形成している。具体的には、ケース３９は、所定の厚みを有するとともに（図３参照）、コード接続部３１を配置する接続辺部３１ｓ、並びに第１ないし第３の充電接続端子部３２〜３４を配置する第１ないし第３辺部３２ｓ〜３４ｓを形成している。
【００２０】
また、ケース３９は、２本の平行辺部のうち、コード２０が接続される接続辺部３１ｓが台形形状の平行短辺部、その反対側の第１辺部３２ｓが台形形状の平行長辺部となるように形成されている。そして、第１ないし第３の充電接続端子部３２〜３４は、それぞれ配置された第１ないし第３辺部３２ｓ〜３４ｓから外方へ直角（各辺部に対して直交状）に突出するように形成されている（図２参照）。これにより、接続辺部３１ｓが占有する領域（角度）が小さくなるため、全体としてコンパクト化を図るとともに、第１ないし第３辺部３２ｓ〜３４ｓの領域を比較的大きくすることができる。
【００２１】
また、コード接続部３１と第１の充電接続端子部３２とは、例えば接続辺部３１ｓ及び第１辺部３２ｓの各中央を通る直線Ｌ１上に沿って形成されている（以下、直線Ｌ１を中央線Ｌ１ともいう）。したがって、中央線Ｌ１は、接続辺部３１ｓ及び第１辺部３２ｓと直角（直交）をなすこととなる。
【００２２】
ここで、コード接続部３１の接続辺部３１ｓの両側に位置する左右の第２、第３の充電接続端子部３３，３４が形成された第２及び第３辺部３３ｓ、３４ｓは、中央線Ｌ１を基準にして、第１辺部３２ｓ側（第１の充電接続端子部３２側）から接続辺部３１ｓ側（コード接続部３１側）に向かって対称的に漸次幅が狭くなるようにテーパ状に形成されている。すなわち、第２及び第３の充電接続端子部３３，３４が、中央線Ｌ１と直交する直線Ｌ４に対して直線Ｌ２，Ｌ３がそれぞれコード接続部３１側に所定角度θ分だけ傾くように傾斜配置される。
【００２３】
次に、以上に説明した本発明の実施形態に係るコードコネクタ１の作動の説明をする。図１に示すように、まず、コードコネクタ１のＵＳＢ端子１０をパソコン２のＵＳＢポート２ａに挿し込んで接続する。そして、携帯電話機側コネクタ３０が備える第１ないし第３の充電接続端子部３２〜３４のうち、充電を実施しようとする携帯電話機３の充電コネクタ部３ａに対応する充電接続端子部を選択し、その選択した充電接続端子部を充電コネクタ部３ａに挿し込んで接続する。これにより、コードコネクタ１を介してパソコン２から携帯電話機３に電力が供給され、携帯電話機３の充電が開始される。
【００２４】
ここで、コードコネクタ１は、上述のごとく、複数の携帯電話機３を接続し易いようにケース３９が形成されている。したがって、充電を実施する携帯電話機３が第１ないし第３の充電接続端子部３２〜３４にそれぞれ対応する場合には、複数の携帯電話機３を充電することができる。その場合には、配線部４０は、図４及び図５に示すように、各充電接続端子部を並列接続するように形成されているので、１つの携帯電話機３を接続したときの流れる電流がＸミリアンペア（ｍＡ）であったとすると、携帯電話機３を２つ接続した場合にはＸ／２ミリアンペア（ｍＡ）、携帯電話機３を３つ接続した場合にはＸ／３ミリアンペア（ｍＡ）となる。
【００２５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００２６】
【図１】本発明に係るコードコネクタの使用状態を説明する模式図。
【図２】本発明の実施形態に係るコードコネクタの一例を示す正面図。
【図３】図２における側面図。
【図４】主要部における配線を概念的に示す図。
【図５】図４における等価回路図。
【符号の説明】
【００２７】
１    コードコネクタ（携帯電話機充電用コードコネクタ）
２    パーソナルコンピュータ（電源機器）
２ａ  ＵＳＢポート
３    携帯電話機
３ａ  充電コネクタ部
１０  ＵＳＢ端子（電源機器側コネクタ）
１１  ＵＳＢ接続部
２０  コード
２１  コイル部
２２，２３  延出部
３０  携帯電話機側コネクタ
３１  コード接続部
３１ｓ〜３４ｓ  辺部
３２  第１の充電接続端子部
３３  第２の充電接続端子部
３４  第３の充電接続端子部
４０  配線部
Ｌ１  直線（中央線）
Ｌ２〜Ｌ４  直線
【要約】
【課題】  携帯電話機における複数種類の充電コネクタ部に接続することができるとともに、小型化されたコネクタを備える携帯電話機充電用コードコネクタを提供する。
【解決手段】  電源機器側コネクタ１０と、その電源機器側コネクタ１０から延びるコード２０と、そのコードの先端が接続された携帯電話機側コネクタ３０とを備え、携帯電話機側コネクタ３０には、互いに異なる３種の携帯電話機の充電コネクタ部に着脱可能に接続する第１、第２及び第３の充電接続端子部３２，３３，３４が形成されている。
【選択図】図２【図１】
0004041840.tif 000002
【図２】
0004041840.tif 000003
【図３】
0004041840.tif 000004
【図４】
0004041840.tif 000005
【図５】
0004041840.tif 000006